(57)【特許請求の範囲】
【請求項１】
回転ドラムの周面に周方向に沿って形成された溝の任意の位置で、溝に挿入される被固定部材の固定コマの溝からの抜き出しを阻止して、被固定部材を前記回転ドラムの周面に固定する固定部構造であって、
前記固定コマが、
前記被固定部材から突設された支軸に設けられて、幅方向の寸法が前記溝の開口幅よりも小さく、幅方向と直交する長手方向の寸法が、溝の開口幅よりも長い略矩形ブロック形状に形成されると共に、
前記回転ドラムの前記溝が、
開口部から内部の溝幅を拡幅する方向に所定角度で傾斜された斜面が設けられることにより溝内部に拡幅部が形成されて断面形状が略台形状とされて、
前記固定コマが前記溝内に挿入されて回動されることにより、前記固定コマの長手方向の両端部が前記斜面に当接されて前記回転ドラムに固定されるようにしたことを特徴とする固定部構造。
【請求項２】
前記固定コマの長手方向の両端部に、幅方向の一端側に直線状部が形成され、他端側に前記直線状部側から所定半径で円弧状に湾曲した円弧状部が形成され、前記固定コマが前記円弧状部側から前記拡幅部の斜面へ向けて回動されて固定されることを特徴とする請求項１に記載の固定部構造。
【請求項３】
前記被固定部材に、前記固定コマが前記溝内に挿入されたときに、該固定コマの長手方向の両端部が前記溝の斜面に当接される方向へ回動するように付勢する付勢手段が設けられていることを特徴とする請求項２に記載の固定部構造。
【請求項４】
前記固定コマの長手方向の両端部に前記溝の斜面に対向される傾斜部が形成され、該傾斜部が前記斜面に面接触されることを特徴とする請求項１から請求項３のいずれか１項に記載の固定部構造。
【発明の詳細な説明】
【０００１】
【発明の属する技術分野】
本発明は、回転ドラムに形成した溝の任意の位置に被固定部材を固定する固定部構造に関する。
【０００２】
【従来の技術】
一般に、印刷には、アルミニウムの薄板などのシート状に形成した支持体に感光層を形成した感光性印刷版（以下「印刷版」と言う）が用いられる。このような印刷版には、印刷物のサイズに応じて縦横の寸法の異なるものが用いられる。
【０００３】
このような印刷版に画像露光を施す画像露光装置には、印刷版を回転ドラムに巻き付け、回転ドラムと一体で印刷版を回転しながら画像データに応じた光ビームを印刷版に照射することにより、印刷版を走査露光するものがある。
【０００４】
回転ドラムに印刷版を巻き付ける場合、回転ドラムの周方向に沿った印刷版の両端をチャックによって回転ドラムとの間で挟持して固定するが、多数サイズの印刷版の何れも回転ドラムに巻き付けて固定するようにした場合、印刷版の何れか一方の端部に対応するチャックを回転ドラムの所定の位置に取り付けておき、印刷版の他方の端部に対応するチャックを、回転ドラムに印刷版を巻き付けたときに、印刷版のサイズに合わせて回転ドラムに装着するようにしている。
【０００５】
回転ドラムに巻き付けた印刷版の後端位置に合わせて、回転ドラムにチャックを装着する場合、回転ドラムの外周面に、回転ドラムの周方向に沿って溝を形成し、この溝にチャックを装着する。
【０００６】
ところで、回転ドラムに形成した溝にチャックなどの被固定部材を取付ける場合、図１１に示されるように、回転ドラム２１０に形成する溝２１２の内部に断面が矩形形状に開口された拡幅部２１４を形成し、被固定部材の支軸の先端に取付けられた略矩形ブロック形状の固定コマ２１６を挿入し、支軸２１８と共に固定コマ２１６を溝２１２の拡幅部２１４内で略９０°回転させる。この固定コマ２１６は、幅寸法が、溝の開口幅より短くなっており、また、長手方向の寸法が拡幅部２１４の幅寸法と略同じになっている。また、固定コマ２１６は、長手方向の両端部が円弧状に形成されている。
【０００７】
この固定コマ２１６は、拡幅部２１４内で約９０°回転されることにより、長手方向の両端部が拡幅部２１４の内壁面に当接し、溝２１２の開口幅が拡幅部２１４内の幅寸法よりも狭められていることから、固定コマ２１６の溝２１２内からの抜き出しが不可能となり、この固定コマ２１６に取付けられているチャック（被固定部材）が回転ドラム２１０に固定される。
【０００８】
【発明が解決しようとする課題】
しかしながら、回転ドラム２１０を回転させたときには、チャックや固定コマ２１６に遠心力が作用し、溝２１２の開口部周縁を捲り上げようとする力を加える。このために、開口部周縁の肉厚が薄く脆弱となっていると、開口部周縁が捲りあがり、しいては固定コマ２１６が外れて溝２１２内から飛び出してしまう。また、開口部周縁が捲りあがると、この部分に印刷版を載せたときに回転ドラム２１０の周面に印刷版との間に隙間が生じ、印刷版の密着不良を引き起こしてしまう。
【０００９】
このような溝の周縁部の損傷を防止するためには、溝２１２の周縁部の肉厚を厚くする必要があるが、これにより回転ドラム２１０の肉厚が厚くなり、回転ドラム２１０の重量が増加してしまう。
【００１０】
また、固定コマ２１６は、拡幅部２１４内で回し過ぎると、長手方向の両端部が拡幅部２１４の内壁面から離れてしまうため、固定コマ２１６を正確に９０°だけ回転させる必要が生じ、高精度の回転機構が必要となる。
【００１１】
本発明は上記事実に鑑みてなされたものであり、簡単な構成で溝の開口部周縁の変形を防止して被固定部材を回転ドラムの周面に形成している溝内に固定することができる固定部構造を提案することを目的とする。
【００１２】
【課題を解決するための手段】
上記課題を解決するための本発明は、回転ドラムの周面に周方向に沿って形成された溝の任意の位置で、溝に挿入される被固定部材の固定コマの溝からの抜き出しを阻止して、被固定部材を前記回転ドラムの周面に固定する固定部構造であって、前記固定コマが、前記被固定部材から突設された支軸に設けられて、幅方向の寸法が前記溝の開口幅よりも小さく、幅方向と直交する長手方向の寸法が、溝の開口幅よりも長い略矩形ブロック形状に形成されると共に、前記回転ドラムの前記溝が、開口部から内部の溝幅を拡幅する方向に所定角度で傾斜された斜面が設けられることにより溝内部に拡幅部が形成されて断面形状が略台形状とされて、前記固定コマが前記溝内に挿入されて回動されることにより、前記固定コマの長手方向の両端部が前記斜面に当接されて前記回転ドラムに固定されるようにしたことを特徴とする。
【００１３】
この発明によれば、回転ドラムの溝に、幅方向に沿った断面が略台形形状に開口されるように拡幅部を形成する。溝の開口部から挿入された固定コマは、長手方向が溝の幅方向に沿うように回動されることにより、長手方向の両端部が拡幅部の側面である斜面に当接する。この拡幅部は、斜面によって上方へ向けた開口幅が狭められているので、固定コマは、長手方向の両端部が斜面に当接することにより、溝からの抜き出しが阻止される。
【００１４】
このように溝の内部に拡幅部に斜面を形成することにより、溝の開口部周縁の肉厚が薄くなっても、肉厚を徐々に厚くし、肉厚が厚くなっている領域に固定コマが当接するようにできる。すなわち、肉厚の厚くなっている領域で固定コマを保持できるので、固定コマにより溝の開口部周縁が変形してしまうのを防止できる。
【００１５】
このときの溝の内部に形成する斜面の角度は、回転ドラムの表面と略平行となる溝の底面に対して４５°以上、９０°未満であることが好ましい。このような拡幅部を形成することにより、固定コマに溝からの抜き出し方向へ力を加えたときに、固定コマによって溝の開口部周縁の薄肉部を捲り上げる方向に作用する力を抑えることができる。
【００１６】
請求項２に係る発明は、前記固定コマの長手方向の両端部に、幅方向の一端側に直線状部が形成され、他端側に前記直線状部側から所定半径で円弧状に湾曲した円弧状部が形成され、前記固定コマが前記円弧状部側から前記拡幅部の斜面へ向けて回動されて固定されることを特徴とする。
【００１７】
この発明によれば、固定コマの長手方向の両端部には、幅方向の一端側に直線状部が形成され他端側に円弧状部が形成されており、固定コマを溝に挿入して円弧状部側から回動させる。これにより、溝内の斜面に円弧状部が対向しているときには、固定コマが斜面に当接することなく回動し、直線状部が斜面に対向したときに、固定コマの長手方向の両端部が斜面に当接するようにしている。
【００１８】
ここで、固定コマは、直線状部が斜面に当接することにより、それ以上の回動が阻止される。したがって、固定コマを正確に９０°回した位置で停止させる機構を用いることなく、固定コマが９０°回動した位置で停止させることができる。
【００１９】
請求項３に係る発明は、前記被固定部材に、前記固定コマが前記溝内に挿入されたときに、該固定コマの長手方向の両端部が前記溝の斜面に当接される方向へ回動するように付勢する付勢手段が設けられていることを特徴とする。
【００２０】
この発明によれば、付勢手段によって固定コマが溝への固定方向へ回動するように付勢する。これにより、例えば、予め固定コマを溝へ挿入する向きに固定しておき、固定コマを溝へ挿入した後に、この固定を解除することにより、付勢手段によって固定コマが回動して溝内に固定される。
【００２１】
請求項４に係る発明は、前記固定コマの長手方向の両端部に前記溝の斜面に対向される傾斜部が形成され、該傾斜部が前記斜面に面接触されることを特徴とする。
【００２２】
この発明によれば、固定コマに溝内の斜面に対向する傾斜部を形成する。これにより、固定コマを斜面に面接触させて固定することができる。
【００２３】
これにより本発明では、回転ドラムの周面に形成した溝へ、印刷版等のシート体をクランプするチャックを固定するように用いることができる。
【００２４】
【発明の実施の形態】
以下、図面を参照して本発明の実施の形態を説明する。図１には、本実施の形態に適用した画像露光装置１０の概略構成を示している。この画像露光装置１０は、シート体として例えばアルミニウム等によって形成したの矩形薄板状（例えば肉厚が０．３mm程度）の支持体に感光層を形成した感光性平版印刷版（以下「印刷版１２」という）を用い、この印刷版１２に画像データに基づいて変調した光ビームを照射して走査露光する。画像露光装置１０で画像露光の終了した印刷版１２は、図示しない自動現像装置等によって現像処理等が施される。
【００２５】
この画像露光装置１０には、機枠１４内にカセット装填部１８、給版搬送部２０、記録部２２及び排出バッファ部２４等が設けられている。カセット装填部１８は、機枠１４内の図１紙面右下側に配置されており、それぞれに多数枚の印刷版１２を収容している複数のカセット１６が、所定角度で傾斜された状態で装填される。
【００２６】
画像露光装置１０では、縦横の寸法が異なる複数サイズの印刷版１２の処理が可能となっており、カセット１６には、何れかのサイズの印刷版１２が、感光層を上側にし、一端が所定の位置となるように位置決めされて収容されている。また、カセット装填部１８には、複数のカセット１６が所定間隔で、かつそれぞれに収容している印刷版１２の一端が略一定の高さとなるように装填される。
【００２７】
給版搬送部２０は、カセット装填部１８の上方に配置され、記録部２２は、カセット装填部１８に隣接して、装置の中央下部に配置されている。給版搬送部２０には、一対の側板２６（図１では一方のみを図示）が設けられており、この側板２６に反転ユニット２８及び枚葉ユニット３０が取付けられている。
【００２８】
反転ユニット２８は、所定の外径寸法の反転ローラ３２を備え、この反転ローラ３２の周囲に複数の小ローラ（本実施の形態では、一例として小ローラ３４Ａ、３４Ｂ、３４Ｃ、３４Ｄの４個）が設けられている。小ローラ３４Ａ〜３４Ｄは、カセット装填部１８側から反転ローラ３２の上方を経て記録部２２側に亘って配置され、無端の搬送ベルト３６が巻き掛けられている。これにより、搬送ベルト３６は、小ローラ３４Ａと小ローラ３４Ｄの間の約半周に亘って反転ローラ３２に巻き掛けられている。
【００２９】
一方、枚葉ユニット３０は、カセット１６内の印刷版１２の上端部を吸着する複数の吸盤３８を備えており、吸盤３８を下方移動させてカセット装填部１８に装填されているカセット１６内の印刷版１２の上端部に対向させて印刷版１２を吸着する。また、枚葉ユニット３０は、印刷版１２を吸着した吸盤３８を略上方へ移動させることにより、カセット１６から印刷版１２を引き出すと共に、引き出した印刷版１２の先端を、反転ローラ３２と搬送ベルト３６の間へ挿入する。なお、図１では、吸盤３８の移動位置の概略を二点鎖線で示している。
【００３０】
反転ユニット２８では、反転ローラ３２と搬送ベルト３６がカセット１６からの印刷版１２の引き出し方向（図１の矢印Ａ方向）に回転する。これにより、印刷版１２は、反転ローラ３２と搬送ベルト３６に挟持されてカセット１６から引き出されると共に、反転ローラ３２の周面に巻き掛けられることにより、湾曲されながら搬送されて反転される。なお、反転ローラ３２の半径寸法は、印刷版１２を湾曲させたときに、印刷版１２に折れや曲がりを生じさせない寸法（例えば１００ｍｍ以上）となっている。
【００３１】
図１に実線及び二点鎖線で示すように、側板２６は、印刷版１２を取出すカセット１６の位置に応じて水平移動する。これにより、枚葉ユニット３０の吸盤３８は、選択されたカセット１６内の印刷版１２に対向される。
【００３２】
また、側板２６には、小ローラ３４Ｄの下方にガイド４０が設けられており、反転ローラ３２によって反転された印刷版１２は、小ローラ３４Ｄ側で反転ローラ３２と搬送ベルト３６の間から、このガイド４０へ向けて送り出される。また、記録部２２の上方には、搬送コンベア４２が配置されており、反転ユニット２８から送り出された印刷版１２は、ガイド４０によって搬送コンベア４２へ案内される。
【００３３】
なお、ガイド４０は、常に印刷版１２の案内方向を搬送コンベア４２へ向けるように、側板２６の移動に伴って揺動する。また、記録部２２側の小ローラ３４Ｄは、側板２６の移動に伴って反転ユニット２８からの印刷版１２の送出し方向を換えるように移動し、小ローラ３４Ｃは、小ローラ３４Ｄが移動したときに搬送ベルト３６に略一定の張力を付与するように移動する。これにより、反転ユニット２８から送り出される印刷版１２がガイド４０によって緩やかに湾曲されるようにしている。
【００３４】
搬送コンベア４２は、給版搬送部２０の下方に隣接したローラ４４と、記録部２２の上方に隣接したローラ４６との間に搬送ベルト４８が巻き掛けられ、ローラ４６側が下方となるように傾斜されている。
【００３５】
図１及び図２に示されるように、搬送コンベア４２には、ローラ４６に対向してローラ５０が配置されており、搬送コンベア４２上に送り込まれた印刷版１２は、搬送ベルト４８上を搬送されてローラ４６、５０に挟持される。また、記録部２２には、架台５２上に回転ドラム５４及び記録ヘッド部５６が取付けられている。また、回転ドラム５４の上方には、パンチャー５８が配置されている。
【００３６】
図２に示されるように、パンチャー５８には、銜え口６０が形成されており、搬送コンベア４２は、ローラ４６、５０によって印刷版１２を挟持し、印刷版１２の先端をパンチャー５８の銜え口６０に挿入して保持する。パンチャー５８は、銜え口６０に印刷版１２の先端が挿入されると、印刷版１２の先端の所定の位置に、位置決め用として例えば切り欠きを穿設する。
【００３７】
搬送コンベア４２は、印刷版１２に切り欠きが穿設されると、搬送ベルト４８と共にローラ４６、５０を逆転駆動して、印刷版１２の先端をパンチャー５８の銜え口６０から引き出す。また、搬送コンベア４２には、図示しない揺動手段が設けられており、この揺動手段によってローラ４４側を軸にしてローラ４６側が記録部２２の回転ドラム５４に接近するように下方移動される（図１及び図２に二点鎖線で示す）。これにより、搬送ベルト４８上の印刷版１２は、先端が回転ドラム５４の外周面の所定位置に向けられて、搬送ベルト４８上を回転ドラム５４へ向けて搬送される。
【００３８】
回転ドラム５４は、図示しない駆動手段によって、印刷版１２の装着露光方向（図１及び図２の矢印Ｂ方向）及び装着露光方向と反対方向となる印刷版１２の取外し方向（図１及び図２の矢印Ｃ方向）へ回転される。
【００３９】
図２に示されるように、記録部２２に設けられている回転ドラム５４には、外周面の所定の位置に、先端チャック６２が取付けられている。記録部２２では、この回転ドラム５４に印刷版１２を装着するときに、先ず、先端チャック６２が、搬送コンベア４２によって送り込まれる印刷版１２の先端に対向する位置（印刷版装着位置）で回転ドラム５４を停止させる。
【００４０】
記録部２２には、印刷版装着位置で先端チャック６２に対向して装着カム６４が設けられている。先端チャック６２は、この装着カム６４が回動して一端側が押圧されることにより、回転ドラム５４の周面との間に印刷版１２の挿入が可能となる。記録部２２では、印刷版１２の先端が先端チャック６２と回転ドラム５４の間に挿入された状態で、装着カム６４を戻して先端チャック６２への押圧を解除することにより、印刷版１２の先端を先端チャック６２と回転ドラム５４の周面との間で挟持して保持する。なお、このときに、印刷版１２は、パンチャー５８によって穿設された切り欠きに、回転ドラム５４の周面の所定の位置に突設されている図示しない位置決めピンが入り込むことにより、回転ドラム５４に対して位置決めされる。
【００４１】
記録部２２では、回転ドラム５４に印刷版１２の先端が固定されると、回転ドラム５４を装着露光方向へ回転する。これにより、搬送コンベア４２から送り込まれる印刷版１２は、回転ドラム５４の周面に巻き付けられる。
【００４２】
回転ドラム５４の周面近傍には、印刷版装着位置よりも装着露光方向の下流側にスクイズローラ６６が配置されている。このスクイズローラ６６は、回転ドラム５４に向けて移動することにより回転ドラム５４に巻き付けられる印刷版１２を回転ドラム５４へ向けて押圧し、印刷版１２を回転ドラム５４の周面に密着させる。
【００４３】
また、記録部２２には、スクイズローラ６６よりも回転ドラム５４の装着露光方向上流側近傍に後端チャック着脱ユニット６８が設けられ、装着露光方向の下流側近傍に取外しカム７０が配置されている。後端チャック着脱ユニット６８には、回転ドラム５４へ向けて突出されたシャフト７２の先端に後端チャック７４が装着されている。
【００４４】
記録部２２では、回転ドラム５４に巻き付けた印刷版１２の後端が、後端チャック着脱ユニット６８に対向すると、シャフト７２を突出させて、後端チャック７４を回転ドラム５４の所定の位置に装着する。これにより、後端チャック７４が、回転ドラム５４との間で印刷版１２の後端を挟持して保持する。
【００４５】
記録部２２では、印刷版１２の先端及び後端を回転ドラム５４に保持させるとスクイズローラ６６を離間させる。この後、記録部２２では、回転ドラム５４を所定の回転速度で高速回転させながら、この回転ドラム５４の回転に同期させて、記録ヘッド部５６から画像データに基づいて変調した光ビームを照射する。これにより、印刷版１２が画像データに基づいて走査露光される。
【００４６】
記録部２２では、印刷版１２への走査露光が終了すると、印刷版１２の後端を保持している後端チャック７４が後端チャック着脱ユニット６８に対向する位置で回転ドラム５４を一時停止すると共に、スクイズローラ６６によって回転ドラム５４との間で印刷版１２を挟持する。後端チャック着脱ユニット６８は、後端チャック７４が対向して回転ドラム５４の回転が停止すると、回転ドラム５４から後端チャック７４を取り外す。これにより、印刷版１２の後端が開放される。
【００４７】
記録部２２では、回転ドラム５４から後端チャック７４を取り外すと、回転ドラム５４を印刷版１２の取出し方向へ回転する。これにより、スクイズローラ６６と回転ドラム５４の間から印刷版１２が送出される。
【００４８】
図１に示されるように、排出バッファ部２４は、スクイズローラ６６の上方側に設けられており、回転ドラム５４が印刷版１２の取外し方向へ回転することにより、印刷版１２は、後端側から排出バッファ部２４へ向けて送り出される。また、回転ドラム５４は、印刷版１２の取出し方向に回転して、先端チャック６２が取外しカム７０に対向する印刷版取外し位置で停止する。記録部２２では、この位置で取外しカム７０を回動することにより先端チャック６２を押圧して、先端チャック６２と回転ドラム５４との間での印刷版１２の先端の挟持を解除する。これにより、印刷版１２が回転ドラム５４から取り外される。
【００４９】
一方、排出バッファ部２４は、機枠１４に形成されている排出口７６の内方側に設けられており、排出ローラ７８を備えている。この排出ローラ７８の周囲には、複数の小ローラ（一例として小ローラ８０Ａ、８０Ｂ、８０Ｃ、８０Ｄ、８０Ｅ）が配置されており、これらの小ローラ８０Ａ〜８０Ｅの間に無端の搬送ベルト８２が巻き掛けられている。これにより、排出ローラ７８には、小ローラ８０Ａと小ローラ８０Ｅの間の１／２周から３／４周の範囲で搬送ベルト８２が巻き掛けられている。
【００５０】
小ローラ８０Ａは、記録部２２のスクイズローラ６６側へ向けて突設されており、ローラ８４が対向して配置されている。記録部２２から送出された印刷版１２は、小ローラ８０Ａとローラ８４の間へ向けて案内され、小ローラ８０Ａとローラ８４とに挟持される。
【００５１】
排出バッファ部２４では、排出ローラ７８を印刷版１２の引き入れ方向（矢印Ｄ方向）に回転駆動することにより、小ローラ８０Ａとローラ８４に挟持した印刷版１２を記録部２２から引き出しながら排出ローラ７８と搬送ベルト８２の間に案内し、排出ローラ７８と搬送ベルト８２で挟持して排出ローラ７８に巻き掛ける。このとき、排出バッファ部２４では、印刷版１２の先端部（記録部２２から送出されるときの後端側）を小ローラ８０Ａとローラ５４に挟持することにより、排出ローラ７８に巻き掛けた印刷版１２を一次的に保持する。
【００５２】
一方、図１に二点鎖線で示されるように、排出バッファ部２４では、小ローラ８０Ａとローラ８４が排出口７６に対向する位置へ移動する。このとき、小ローラ８０Ａとアイドルローラ８４が一体で回動することにより、印刷版１２の先端が排出口７６へ向けられる。なお、小ローラ８０Ａの上方の小ローラ８０Ｂは、小ローラ８０Ａの移動に追従して移動し、搬送ベルト８２に一定の張力を付与するようになっている。
【００５３】
排出バッファ部２４では、印刷版１２の先端を排出口７６へ向けると、排出ローラ７８を、排出口７６に隣接して配置している自動現像装置などの処理装置での印刷版１２の搬送速度に応じた回転速度で、印刷版１２の送出し方向（矢印Ｄ方向と反対方向）へ回転駆動する。これにより、印刷版１２が排出口７６から送り出される。
【００５４】
ところで、回転ドラム５４には、印刷版１２を回転ドラム５４に巻き付けたときに、印刷版１２の先端を回転ドラム５４の周面の所定の位置に固定する先端チャック６２が取付けられており、また、この印刷版１２の後端を固定する後端チャック７４が装着されるようになっている。
【００５５】
図３に示されるように、先端チャック６２は、所定長さの帯板状に形成されたクランプ１００を備えており、このクランプ１００が所定間隔で回転ドラム５４の軸線方向に沿って並べて配置されている。また、後端チャック７４は、所定長さの帯板状のクランプ１４０を備えて、このクランプ１４０が回転ドラム５４の周面に所定間隔で並べられて装着されるようになっている。
【００５６】
図４及び図５には、後端チャック７４の一例を示している。後端チャック７４のクランプ１４０には、幅方向の一端側にクランプ部１４２が形成されている。クランプ部１４２は、クランプ１４０の幅方向と直行する方向に突設された先端部が円弧状に湾曲されている。
【００５７】
後端チャック７４は、このクランプ部１４２が回転ドラム５４に巻き付けられた印刷版１２の後端部に対向されるようになっており、クランプ部１４２を印刷版１２の後端部に対向した状態で回転ドラム５４に装着されることにより、回転ドラム５４に巻き付けられた印刷版１２の後端部周縁をクランプ部１４２と回転ドラム５４との間で挟持して保持する（図示省略）。
【００５８】
クランプ１４０には、回転ドラム５４に対向する面と反対側の面（図４及び図５の紙面上方側の面）に複数の凹部１４６が形成されている。凹部１４６は、平面形状が略Ｔ字状となっており、クランプ部１４２側に偏寄して形成されている。後端チャック７４には、凹部１４６のそれぞれに支持部材１４８が取り付けられている。
【００５９】
図３に示されるように、回転ドラム５４の周面には、複数本の装着溝９０が所定間隔で形成されており、後端チャック７４は、支持部材１４８が装着溝９０に装着されて回転ドラム５４に取付けられる（図示省略）。なお、本実施の形態では、一例として、２本の装着溝９０が一組で後端チャック７４の一つのクランプ１４０に対応しており、支持部材１４８は、クランプ１４０に２個ずつ設けられている。
【００６０】
図４及び図５に示されるように、支持部材１４８は、シャフト１５０の軸線方向に沿った中間部から基板１５２が延設されており、この基板１５２に脚１５４が取り付けられている。
【００６１】
クランプ１４０には、凹部１４６のクランプ部１４２側に、溝方向がクランプ１４０の長手方向に沿う溝１５６が形成されている。また、クランプ１４０には、凹部１４６内に溝１５６に隣接して矩形孔１５８が穿設されている。支持部材１４８は、シャフト１５０が溝１５６に嵌め込まれると共に、基板１５２が矩形孔１５８に嵌め込まれてクランプ１４０に取付けられる。これにより、クランプ１４０は、シャフト１５０を軸に、支持部材１４８に対して揺動可能となっている。
【００６２】
図５及び図６に示されるように、支持部材１４８に取り付けられている脚１５４は、矩形ブロック形状に形成された固定コマ１６０と、この固定コマ１６０から立設された支軸１６２とによって形成されており、支軸１６２から突設された小径部１６４（図６参照）が支持部材１４８の基板１５２に形成された貫通孔（図示省略）に挿入されて連結されている。
【００６３】
図４及び図５に示されるように、支軸１６２と基板１５２の間には、座板１６６が介在されており、また、基板１５２の上側には、ハンドル板１６８が座板１６６に挟まれて配置されている。ハンドル板１６８及びハンドル板１６８を挟持している座板１６６は、シャフト１６４に螺合されているネジ１７０によって取り付けられている。
【００６４】
図６に示されるように、支軸１６２の小径部１６４には、外周部に軸線方向に沿った切欠き１６４Ａが形成されている。ハンドル板１６８には、小径部１６４の外形形状に合わせた貫通孔１６８Ａが形成されており、この貫通孔１６８Ａに小径部１６４が挿入されている。これにより、脚１５４の固定コマ１６０は、ハンドル板１６８と一体で支軸１６２を中心に回動するようになっている。
【００６５】
図４及び図５に示されるように、ハンドル板１６８は、クランプ１４０の凹部１４６内に配置されており、後端チャック７４では、ハンドル板１６８を回動させることにより、固定コマ１６０を回動させるようにしている。なお、図５に示されるように、基板１５２には、シャフト１５０と反対側の端部に段差部１７２が形成されており、この段差部１７２とハンドル板１６８の間で、クランプ１４０の矩形孔１５８の周縁部を挟んでおり、これによって、支持部材１４８に対してクランプ１４０が不必要に揺動してしまうのを防止している。
【００６６】
図４及び図５に示されるように、支持部材１４８には、脚１５４の支軸１６２と支持部材１４８の基板１５２との間に、板ばね１７４の一端が挟持されて取付けられている。この板ばね１７４の他端側は、回転ドラム５４側（図４及び図５の紙面下方側）へ向けて屈曲されている。
【００６７】
後端チャック７４は、クランプ部１４２を印刷版１２の後端部に対向させた状態で、回転ドラム５４に装着されたときに、この板ばね１７４が回転ドラム５４に当接して弾性変形し、クランプ部１４２と回転ドラム５４の周面との間に印刷版１２を挟持する挟持力を付与するようになっている。
【００６８】
図６に示されるように、固定コマ１６０は、一方に長い矩形ブロック形状となっている。なお、以下では、固定コマ１６０の短辺方向を固定コマ１６０の幅方向とし、長辺方向を固定コマ１６０の長手方向として説明する。
【００６９】
支軸１６２は、この固定コマ１６０の幅方向及び長手方向の中心となる位置が軸心となるように設けられている。
【００７０】
図６及び図７に示されるように、この固定コマ１６０には、長手方向の両端部のそれぞれに円弧状部１７６及び直線状部１７８が形成されている。図７に示されるように、この円弧状部１７６は、幅方向の一端側を、支軸１６２を中心とした所定の半径で湾曲して形成しており、固定コマ１６０は、外形が固定コマ１６０の幅方向の中間点Ｐ1から、固定コマ１６０の幅方向の一端部の長手方向の点Ｐ2の間が円弧状に形成されている。また、固定コマ１６０は、長手方向の両端部に、中間点Ｐ1から幅方向の他端部の点Ｐ3の間が幅方向に沿った直線状に形成された直線状部１７８となっている。
【００７１】
これにより、固定コマ１６０は、中心点Ｑから点Ｐ2までの距離ｒ2、中間点Ｐ1までの距離ｒ1、点Ｐ3までの距離ｒ3が、この順で長くなっている（ｒ2＜ｒ1＜ｒ3）。
【００７２】
また、図６に示されるように、固定コマ１６０には、長手方向の両端部に傾斜部１８０が設けられている。この傾斜部１８０は、固定コマ１６０の上部側を所定の角度で切欠いた形状となっており、これにより、直線状部１７８に、後述する装着溝９０の内面に合わせた傾斜面１８２を形成している。なお、円弧状部１７６側の傾斜面１８２は、中心点Ｑを中心とした円弧となっている。
【００７３】
一方、図８には、回転ドラム５４の軸線方向に沿った、装着溝９０の近傍の断面を示している。この装着溝９０は、回転ドラム５４の表面近傍の開口幅Ｗ1が、固定コマ１６０の幅方向に沿った寸法Ｗ0（図７参照）よりも僅かに大きくなっており、また、開口幅Ｗ1は、固定コマ１６０の長手方向に沿った寸法Ｌ0（図７参照）より狭くなっている。これにより、固定コマ１６０の長手方向を装着溝９０の溝方向に沿わせたときにのみ、装着溝９０内への固定コマ１６０の挿入及び抜き出しが可能となっている。
【００７４】
また、回転ドラム５４内には、装着溝９０内に拡幅部９２が形成されている。この拡幅部９２は、装着溝９０の幅方向に沿った両側内面が、装着溝９０の底面９４に対して所定の角度θで傾斜されている（以下「斜面９６」と言う）。角度θは、４５°以上から９０°未満の範囲とすることができ、本実施の形態では、一例として角度θを約４５°としている。
【００７５】
拡幅部９２は、角度θの斜面９６の形成されることにより、装着溝９０の開口幅を開口部側から底面９４へ向けて徐々に広げている。この拡幅部９２によって装着溝９０は、幅方向に沿った断面が略台形形状となる開口として回転ドラム５４に形成されている。
【００７６】
図６に示されるように、固定コマ１６０は、幅方向を装着溝９０の溝幅方向に沿わせた状態で装着溝９０内に挿入された後、長手方向を装着溝９０の幅方向に沿わせるように、円弧状部１７６側から矢印Ｅ方向へ回動される（図６に二点鎖線で示す）。
【００７７】
図７に示されるように、この装着溝９０の拡幅部９２は、斜面９６の間隔が所定の位置で、固定コマ１６０の長手方向に沿った寸法Ｌ0と一致するようになっている。これにより、装着溝９０に挿入した固定コマ１６０の長手方向を、装着溝９０の溝幅方向に沿わせることにより、固定コマ１６０の両端部の中間点Ｐ1が斜面９６に当接する。これにより、固定コマ１６０の装着溝９０からの抜き出しが不可能となるようにしている。
【００７８】
一方、図５及び図６に示されるように、脚１５４には、捩りばね１８４が設けられている。この捩りばね１８４は、支軸１６２の周囲に配置され、一端が固定コマ１６０に係止され、他端が支持部材１４８の基板１５２に係止されており、これにより、固定コマ１６０が支軸１６２を軸にして矢印Ｅ方向へ付勢されている。
【００７９】
クランプ１４０には、捩りばね１８４の付勢力に抗して、固定コマ１６０を幅方向が装着溝９０の溝幅方向に沿うようにハンドル板１６８を係止する突起などの係止手段が凹部１４６に形成されている。後端チャック７４は、固定コマ１６０を装着溝９０内へ挿入した状態で、この係止手段によるハンドル板１６８の係止を解除することにより、ハンドル板１６８と共に固定コマ１６０が捩りばね１８４の付勢力によって矢印Ｅ方向へ回動される。これにより、固定コマ１６０の長手方向の両端部が装着溝９０の斜面９６に当接される。
【００８０】
また、後端チャック７４は、捩りばね１８４の付勢力に抗してハンドル板１６８を回動させて、図示しない係止手段へ係止させることにより、固定コマ１６０の装着溝９０からの抜き出し、すなわち、回転ドラム５４からの取外しが可能となる。なお、後端チャック７４の回転ドラム５４への着脱を行う後端チャック着脱ユニット６８としては、任意の構成を用いることができ、本実施の形態では、詳細な説明を省略する。
【００８１】
以下に本実施の形態の作用を説明する。
【００８２】
画像露光装置１０では、印刷版１２に露光する画像データが入力され、画像露光を行う印刷版１２のサイズ及び露光枚数が設定されて、画像露光の開始が指示されると、印刷版１２への画像露光処理を開始する。なお、これらの処理は、画像露光装置１０に操作パネルを設け、この操作パネルのスイッチ操作によって指示するものであっても良く、画像露光装置１０に画像データを出力する画像処理装置等からの信号によって画像露光装置１０の処理開始を指示するものであっても良い。
【００８３】
画像露光装置１０では、処理の開始が指示されると、指定されたサイズの印刷版１２を収容しているカセット１６に対応する位置へ反転ユニット２８と共に枚葉ユニット３０を移動させ、吸盤３８によって該当するカセット１６内の印刷版１２を吸着して取出し、反転ユニット２８の反転ローラ３２と搬送ベルト３６の間へ送り込む。これにより、印刷版１２は、反転ローラ３２と搬送ベルト３６に挟持搬送され、搬送コンベア４２へ送られる。
【００８４】
搬送コンベア４２は、まず、この印刷版１２の先端をパンチャー５８の銜え口６０に挿入する。パンチャー５８は、挿入された印刷版１２の所定の位置に位置決め用の切り欠きを穿設する。搬送コンベア４２は、印刷版１２に切り欠きが穿設されると、この印刷版１２をパンチャー５８の銜え口６０から引き出して、回転ドラム５４の周面へ向けて送り出す。
【００８５】
記録部２２では、この印刷版１２の先端を先端チャック６２によって回転ドラム５４に保持させると、スクイズローラ６６によってスクイズしながら印刷版１２を回転ドラム５４に巻き付け、印刷版１２の後端を後端チャック７４によって回転ドラム５４に保持させる。
【００８６】
この後、記録部２２では、回転ドラム５４を高速回転しながら記録ヘッド部５６から画像データに基づいた光ビームを印刷版１２に照射して、印刷版１２を走査露光する。印刷版１２の走査露光が終了すると、先端チャック６２を取外して、印刷版１２を排出バッファ部２４へ送り出す。
【００８７】
排出バッファ部２４では、印刷版１２を小ローラ８０Ａとローラ８４によって挟持搬送して排出ローラ７８に巻き掛けた後、小ローラ８０Ａとローラ８４を排出口７６に対向させて、排出口７６から所定の搬送速度で送り出す。
【００８８】
ところで、回転ドラム５４には、先端チャック６２が設けられており、印刷版１２は、先端が先端チャック６２によって回転ドラム５４の周面の所定の位置に固定されて、回転ドラム５４の周面に巻き付けられる。また、回転ドラム５４には、後端チャック７４が装着されるようになっており、回転ドラム５４に巻き付けられた印刷版１２は、後端部が後端チャック７４によって回転ドラム５４に固定される。
【００８９】
ここで、回転ドラム５４への後端チャック７４の着脱を説明する。
【００９０】
後端チャック７４は、ハンドル板１６８をクランプ１４０の凹部１４６上の所定の位置に係止されることにより、脚１５４の固定コマ１６０が、回転ドラム５４の装着溝９０に対向した状態で、かつ、捩りばね１８４の付勢力に抗して幅方向を装着溝９０の溝幅方向に沿わせた状態で保持される。
【００９１】
後端チャック着脱ユニット６８は、回転ドラム５４に巻き付けられた印刷版１２の後端が後端チャック７４に対向した位置で回転ドラム５４の回転が一旦停止すると、後端チャック７４を回転ドラム５４の周面へ向けて移動する。これにより、後端チャック７４のクランプ部１４２が印刷版１２の後端に当接し、図９（Ａ）及び図９（Ｄ）に示されるように、脚１５４の固定コマ１６０が回転ドラム５４の周面に形成されている装着溝９０内へ挿入される。
【００９２】
このとき、後端チャック７４に設けられている板ばね１７４が回転ドラム５４の周面に当接して弾性変形する。板ばね１７４の弾性変形によって生じる付勢力に抗して固定コマ１６０を装着溝９０に挿入することにより、クランプ部１４２と回転ドラム５４との間で印刷版１２を挟持する付勢力が付与される。
【００９３】
後端チャック７４は、固定コマ１６０が回転ドラム５４の装着溝９０に挿入されると、例えばハンドル板１６８が矢印Ｅ方向へ回動されるなどして、図示しない係止手段によるハンドル板１６８の係止が解除される。
【００９４】
これにより、装着溝９０に挿入された固定コマ１６０は、捩りばね１８４の付勢力によって、装着溝９０の拡幅部９２内で矢印Ｅ方向へ回動される。固定コマ１６０は、幅方向を装着溝９０の溝幅方向に沿わせた状態から矢印Ｅ方向へ回動されることにより、先ず、図９（Ｂ）及び図９（Ｅ）に示されるように、長手方向の両端部に形成している円弧状部１７６側から拡幅部９２内の斜面９６に接近する。このとき、固定コマ１６０の長手方向の両端部が拡幅部９２の斜面９６から離間しているので、固定コマ１６０は、さらに捩りばね１８４の付勢力によって矢印Ｅ方向へ回動される。
【００９５】
図９（Ｃ）及び図９（Ｆ）に示されるように、固定コマ１６０は、装着溝９０に挿入された状態から捩りコイルばね１８４の付勢力によって約９０°まで回動すると、長手方向の両端部（中間点Ｐ1）が拡幅部９２の斜面９６に当接する。このとき、固定コマ１６０に形成しているに直線状部１７８と傾斜部１８０との角部が拡幅部９２の斜面９６に当接し、捩りばね１８４の付勢力による固定コマ１６０の回動が停止される。
【００９６】
すなわち、固定コマ１６０は、長手方向の両端部に円弧状部１７６を形成することにより、中間点Ｐ1が拡幅部９２の斜面９６に当接するまで、捩りばね１８４の付勢力によって矢印Ｅ方向へ回動する。また、固定コマ１６０は、長手方向の両端（中間点Ｐ1）が斜面９６に当接すると、この中間点Ｐ1よりも矢印Ｅ方向と反対側（点Ｐ3側）が、中心点Ｑから離れているために、９０°以上回動されることなく、捩りばね１８４の付勢力によって保持される。
【００９７】
これにより、固定コマ１６０を正確に回動させる機構を用いることなく、固定コマ１６０と共に固定コマ１６０が設けられている後端チャック７４を回転ドラム５４に装着することができる。また、固定コマ１６０は、捩りばね１８４の付勢力によって矢印Ｅ方向へ付勢されているために、装着溝９０から外れてしまうことがない。
【００９８】
回転ドラム５４に装着された固定コマ１６０には、板ばね１７４の付勢力及び回転ドラム５４が回転したときの遠心力等によって装着溝９０からの抜き出し方向へ付勢される。
【００９９】
このとき、固定コマ１６０は、長手方向の両端部が斜面９６に当接しているので、装着溝９０内から抜け出すことなく確実に保持される。なお、固定コマ１６０では、円弧状部１７６側の傾斜面１８２を支軸１６２を中心にした円弧として形成しているため、捩りばね１８４の付勢力が適切に固定コマ１６０に作用せずに、固定コマ１６０が約９０°まで回動しなくても、円弧状部１７６が装着溝９０の斜面９６に対向すれば、固定コマ１６０の装着溝９０からの抜き出しを確実に阻止することができるようになっている。
【０１００】
一方、回転ドラム５４は、固定コマ１６０が斜面９６に当接することにより、斜面９６が固定コマ１６０に作用する付勢力及び遠心力を受ける。このとき、斜面９６を装着溝９０の底面９４に対して４５°以上、９０°未満の間の所定の角度θで傾斜させていることにより、固定コマ１６０に当接する位置の肉厚を比較的厚くすることができる。
【０１０１】
すなわち、従来は、図１１に示されるように、拡幅部２１４の開口断面を略矩形形状に形成しているため、開口周縁の肉厚が薄くなっており、この肉厚が薄い部分で固定コマ２１６からの力を受けることになる。また、この肉厚を厚くするためには、溝２１２を深くする必要があり、これに伴って回転ドラム２１０の外周部の肉厚も厚くする必要が生じる。
【０１０２】
これに対して、本実施の形態に適用した回転ドラム５４の装着溝９０は、拡幅部９２を形成するときに、比較的大きな角度θで傾斜させた斜面９６を設けているために、比較的肉厚が厚い位置で固定コマ１６０からの力を受けることができる。したがって、装着溝９０の周縁部を強固にするために回転ドラム５４の外周部の肉厚を厚くする必要がない。
【０１０３】
回転ドラム５４の肉厚を比較的薄くできることにより、回転ドラム５４を支持する機構の簡素化や軽量化が可能であると共に、回転ドラム５４の慣性力が小さくなるため、回転ドラム５４を回転するための駆動力や制動力が比較的小さくて済む。
【０１０４】
一方、斜面９６の角度θを４５°以上、９０°未満とすることにより、斜面９６が固定コマ１６０から溝幅方向へ受ける力が大きくなり、装着溝９０の周面部を捲り上げる方向の力を小さくすることができる。これにより、回転ドラム５４の肉厚を厚くすることなく、固定コマ１６０による装着溝９０の変形を防止することができる。
【０１０５】
また、装着溝９０は、断面形状を略台形状とした簡単な形状となっているため、回転ドラム５４に装着溝９０を形成する時の加工が容易となっている。
【０１０６】
このように、本実施の形態では、装着溝９０を形成するときに所定の角度θで傾斜した斜面９６を設けることにより、回転ドラム５４の肉厚を厚くすることなく、装着溝９０の開口部周縁の変形を防止して、開口部周縁が変形することによる印刷版１２の浮きなどの印刷版１２の装着不良が生じるのを防止することができる。
【０１０７】
また、本実施の形態では、固定コマ１６０の幅方向の一端側にのみ円弧状部１７６を形成することにより、簡単な機構で固定コマ１６０を所定の向きまで回動させることができる。
【０１０８】
なお、以上説明した本実施の形態は、本発明の一例を示すものであり、本発明の構成を限定するものではない。本実施の形態では、装着溝９０の断面形状を略台形形状に形成したが、本発明は、これに限定するものではなく、少なくとも４５°以上、90°未満の所定の角度θで傾斜させた斜面が形成されるものであれば良い。
【０１０９】
例えば、図１０（Ａ）に示す装着溝１８８のように、開口側に立壁１８９を設けて、所定深さまで開口幅を一定とし、底面１９０側に角度θで傾斜させた斜面１９１を回転ドラム５４に形成しても良い。
【０１１０】
また、図１０（Ｂ）に示す装着溝１９３のように、底面１９４側にさらに立壁１９５を設けることにより、立壁１８９、１９５の間に角度θで傾斜させた斜面１９６を回転ドラム５４に形成しても良い。この場合、底面１９４側の立壁１９５に固定コマ１６０の長手方向の端面（直線状部１７８）が当接するように構成することがより好ましい。
【０１１１】
また、本実施の形態では、固定コマ１６０の直線状部１７８の上端が装着溝９０の斜面９６に当接するようにしたが、これに限らず、少なくとも固定コマ１６０の一部が装着溝内に形成した斜面に当接するようにしたものであれば良い。すなわち、図１０（Ｃ）に示されるように、斜面１９７の底部１９８側に立壁１９９を設けた装着溝２００を回転ドラム５４に形成し、装着溝２００に挿入された固定コマ１６０の直線状部１７８の上端が斜面１９７の立壁１９９側の端部または斜面１９７と立壁１９９の間の屈曲部分に当接するようにしても良い。
【０１１２】
さらに、図１０（Ａ）及び図１０（Ｂ）に示されるように、固定コマ１６０の傾斜面１８２が、装着溝１８８、１９３の斜面１９１、１９６に当接するようにしても良い。
【０１１３】
また、本実施の形態では、固定コマ１１６の幅方向の中間点から一端側の間で円弧状部１７６を形成したが、例えば、図１０（Ｄ）に示されるように、幅方向の他端側から一端側へ向けて大きく円弧状に湾曲させた円弧状部２０４を形成して、円弧状部２０４に対して直線状部２０６の領域を狭めた固定コマ２０２などのように、円弧状部を少なくとも幅方向の一端側にのみ形成したものであれば良く、円弧状部に隣接して幅方向の他端側に、短くとも直線部分が形成されることがより好ましい。
【０１１４】
なお、本実施の形態では、印刷版１２を露光する画像露光装置１０を例にして回転ドラム５４と後端チャック７４の間に本発明を適用して説明したが、本発明は、印刷版に限らずフィルムや印画紙などの感光材料を露光する種々の露光装置に用いることができる。また、本発明は、画像露光装置に限らず回転ドラムなどの固定部材の任意の位置に後端チャック７４などの被固定部材を固定する任意の装置に適用することができる。
【０１１５】
また、本実施の形態では、固定部材として回転ドラム５４を用いたが、本発明は、回転ドラムなどの円筒状または円柱状の部材や板状体などの任意の形状を固定部材に、後端チャック７４などの固定部材に応じた任意の被固定部材の間に用いることができる。
【０１１６】
【発明の効果】
以上説明したように本発明によれば、開口の断面形状を略台形形状として、固定コマが溝の内壁を形成する斜面に当接するように溝を形成することにより、固定部材の肉厚を厚くすることなく、溝の開口周縁部に捲れが生じるのを防止することができる。
【０１１７】
また、固定コマの幅方向の一端側にのみ円弧状部を形成することにより、固定コマを正確に回転させることなく、固定こまを確実に溝の斜面へ当接させて固定することができると言う優れた効果が得られる。
【図面の簡単な説明】
【図１】本発明を適用した画像露光装置を示す概略構成図である。
【図２】画像露光装置の記録部を示す概略構成図である。
【図３】回転ドラムへの先端チャックと後端チャックの配置を示す概略斜視図である。
【図４】本実施の形態に適用した後端チャックの要部を示す概略斜視図である。
【図５】後端チャックの要部を示すクランプの幅方向に沿った概略断面図である。
【図６】本発明を適用した固定コマが設けられた後端チャックの脚を示す概略斜視図である。
【図７】固定コマの平面形状を示す概略図である。
【図８】回転ドラムに形成した装着溝を示す回転ドラムの軸線方向に沿った要部断面図である。
【図９】（Ａ）乃至（Ｃ）は装着溝での固定コマの回動を示す概略平面図であり、（Ａ）は固定コマを装着溝に挿入した状態を示し、（Ｂ）は挿入溝に挿入した固定コマの回動途中を示し、（Ｃ）は固定コマを装着溝に装着した状態を示している。また、（Ｄ）、（Ｅ）、（Ｆ）は、それぞれ（Ａ）、（Ｂ）、（Ｃ）における回転ドラムの軸線方向に沿った概略断面図である。
【図１０】（Ａ）乃至（Ｃ）はそれぞれ固定コマを装着する装着溝の変形例を示す溝方向から見た概略図、（Ｄ）は固定コマの一変形例を示す概略平面図である。
【図１１】従来例を示す固定コマと回転ドラムの溝の要部斜視図である。
【符号の説明】
１０    画像露光装置
１２    印刷版
２２    記録部
５４    回転ドラム（固定部材）
７４    後端チャック（被固定部材）
９０    装着溝（溝）
９２    拡幅部
９６    斜面
１５０    脚
１６０    固定コマ
１６２    支軸
１７６    円弧状部
１７８    直線状部
１８０    傾斜部
１８４    捩りばね（付勢手段）
【図１】
0004034484.tif 000002
【図２】
0004034484.tif 000003
【図３】
0004034484.tif 000004
【図４】
0004034484.tif 000005
【図５】
0004034484.tif 000006
【図６】
0004034484.tif 000007
【図７】
0004034484.tif 000008
【図８】
0004034484.tif 000009
【図９】
0004034484.tif 000010
【図１０】
0004034484.tif 000011
【図１１】
0004034484.tif 000012